(57)【要約】【課題】    ファイルにおいては、例えば書類の分類毎に複数のファイルに仕分けて管理することが望まれるが、使い始めのファイルや、人気の無いファイルは、書類の枚数が少ないのに表紙体がかさばってしまい、表紙体を保管しているような状態に陥ってしまう。  また、書類の枚数が少ない２つのファイルを効率よく収納する為に一方のファイルの前後を逆に収納すると、一方のファイルを取り出しにくくなり、ファイルのタイトルが読みにくくなる。  また、書類の枚数に合わせて表紙体のサイズを変更できるアイデアも知られているが、これは書類の保持に手間がかかり、ファイルの剛性が低くなる可能性が高い。【解決手段】  ２つのファイルの表紙体を上手に合成する。【選択図】              図１
2007176182.tif 000002
【特許請求の範囲】
【請求項１】
第１板状部及び第２板状部と、仕切り部と、前記第１板状部の一端部、及び前記仕切り部の一端部を接続する第１接続部と、前記仕切り部の他端部、及び前記第２板状部の一端部を接続する第２接続部と、を備える表紙体と、
前記第１板状部の一端部、前記仕切り部の一端部、及び前記第１接続部のいずれかに設けられる第１保持部と、
前記仕切り部の他端部、前記第２板状部の一端部、及び前記第２接続部のいずれかに設けられる第２保持部と、
を具備し、
前記第１板状部の内面、及び前記仕切り部の第１面の間に第１被保持物を挿入して前記第１保持部によって保持可能であり、
且つ、前記仕切り部の第２面、及び前記第２板状部の内面の間に第２被保持物を挿入して前記第２保持部によって保持可能である、
ファイル。
【発明の詳細な説明】
【技術分野】
【０００１】
本発明は、ファイルに関する。
【背景技術】
【０００２】
ファイルにおいては、特許文献１から３のいずれかのように表紙体を構成する一対の板状部の間に被保持物を挿入し、被保持物の一端部に予め開けられた穴に保持部を構成する部材を貫通させて保持させるものや、特許文献４のように被保持物の一端部を挟持可能な保持部を有するものが知られている。
【０００３】
【特許文献１】特開２００６−１９２６８９号公報
【特許文献２】特開２００６−０６２３０４号公報
【特許文献３】特開２００４−３３８２６１号公報
【特許文献４】特開２００５−１１１９５４号公報
【発明の開示】
【発明が解決しようとする課題】
【０００４】
ファイルにおいては、例えば書類の分類毎に複数のファイルに仕分けて管理することが望まれるが、使い始めのファイルや、人気の無いファイルは、書類の枚数が少ないのに表紙体がかさばってしまい、表紙体を保管しているような状態に陥ってしまう。
また、書類の枚数が少ない２つのファイルを効率よく収納する為に一方のファイルの前後を逆に収納すると、一方のファイルを取り出しにくくなり、ファイルのタイトルが読みにくくなる。
また、書類の枚数に合わせて表紙体のサイズを変更できるアイデアも知られているが、これは書類の保持に手間がかかり、ファイルの剛性が低くなる可能性が高い。
【課題を解決するための手段】
【０００５】
本発明の実施形態図等を用いて以下に説明するが、これは本発明の内容をより把握しやすいようにする為で、添付の特許請求の範囲を縮小するものではない。
【０００６】
発明１に係るファイルは、例えば図１から４のように、
板状部１及び２と、仕切り部３と、板状部１の一端部、及び仕切り部３の一端部を接続する接続部４と、仕切り部３の他端部、及び板状部２の一端部を接続する接続部５と、を備える表紙体６と、
板状部１の一端部、仕切り部３の一端部、及び接続部４のいずれかに設けられる保持部７と、
仕切り部３の他端部、板状部２の一端部、及び接続部５のいずれかに設けられる保持部８と、
を具備し、
板状部１の内面９、及び仕切り部３の面１１の間に被保持物１３を挿入して保持部７によって保持可能であり、
且つ、仕切り部３の面１２、及び板状部２の内面１０の間に被保持物１４を挿入して保持部８によって保持可能である、ファイルである。
【発明の効果】
【０００７】
以上のように本発明では、図１のように非常にシンプル高剛性にし易い構成であり、従来の保持部を設置可能なスペースを十分確保可能である。
また、図２のように例えば接続部４を手で持って板状部１及び仕切り部３を開けば被保持物１３に目を通すことが可能であり、板状部１及び仕切り部３を閉じて接続部５を手で持って板状部２及び仕切り部３を開けば被保持物１４に目を通すことが可能である。
また、図３のように被保持物１３及び１４が少ない場合はファイルが薄くなり、図４のように多い場合にも十分対応可能となる。
また、接続部４又は５の外側に被保持物１３及び１４の分類を示すタイトルを合わせて記入しておけば速やかにファイルを探し出すことが出来る。
また、仕切り部３は書類を外乱から守る必要がないので、肉抜き等による軽量化や薄型化が容易であり、表紙体６素材の省資源化が容易となる。
【発明を実施するための最良の形態】
【０００８】
〔第１実施形態〕
図１から４のように、板状部１及び２、板状の仕切り部３、板状の接続部４及び５を備える表紙体６は一体成型されたポリプロピレン等の樹脂製であるが、紙製でも良い。また、板状部１及び接続部４の境、接続部４及び仕切り部３の境、仕切り部３及び接続部５の境、及び接続部５及び板状部２の境で曲がりやすくなるようにくせが付けられている。
また、接続部４及び５の内側にはそれぞれ保持部７及び８のベース部材がリベットによって固定されている。また、保持部７及び８は共通構造であり、保持部７が備えるリング状の保持部材はベース部材に揺動可能に支持され二分割可能であり、分割された一方が被保持物１３に予め開けられた穴に貫通されてから分割を解除することで被保持物１３は保持部７に保持される。ここで、このように被保持物１３に予め開けられた穴に保持部材を貫通させるようなタイプではなくて、被保持物１３の一端部をバネ等の付勢によって挟持する構造の保持部を用いても良い。
また、被保持物１３又は１４は、書類の他にも、コンパクトディスク等の記録媒体や写真等の薄い物を収納可能なシートが考えられる。
【図面の簡単な説明】
【０００９】
【図１】第１実施形態の表紙体６を開いた状態を表す斜視図
【図２】第１実施形態の板状部２及び仕切り部３を閉じた状態を表す斜視図
【図３】第１実施形態の表紙体６を閉じた状態を表す平面図、その１
【図４】第１実施形態の表紙体６を閉じた状態を表す平面図、その２
【符号の説明】
【００１０】
１,２.                                 板状部
３.                                      仕切り部
４,５.                                 接続部
６.                                      表紙体
７,８.                                 保持部
９,１０.               内面
１１,１２.                          面
１３,１４.                          被保持物
【図１】
2007176182.tif 000003
【図２】
2007176182.tif 000004
【図３】
2007176182.tif 000005
【図４】
2007176182.tif 000006